(57)【要約】【課題】  物品の梱包や保護、防水に使用するストレッチフィルムを筒状の巻き芯に巻き取ったロール巻きストレッチフィルムにおいて使用者の怪我を防止する。【解決手段】  使用者の指先を挿入可能な内径寸法を有する筒状の巻き芯１にストレッチフィルムＴを巻き取ったロール巻きストレッチフィルムにおいて、巻き芯の端面１Ａと内周壁１Ｂがなす角を切り落としテーパ面２とする。【選択図】      図２
0003208180.tif 000002
【実用新案登録請求の範囲】
【請求項１】
使用者の指先を挿入可能な内径寸法を有する筒状の巻き芯にストレッチフィルムを巻き取ったロール巻きストレッチフィルムにおいて、巻き芯の端面と内周壁がなす角を切り落としたことを特徴とするロール巻きストレッチフィルム。
【請求項２】
巻き芯の端面と内周壁間にテーパ面を設けることにより巻き芯の端面と内周壁がなす角を切り落とす手段とした請求項１記載のロール巻きストレッチフィルム。
【請求項３】
巻き芯の端面と内周壁間に湾曲面を設けることにより巻き芯の端面と内周壁がなす角を切り落とす手段とした請求項１記載のロール巻きストレッチフィルム。
【請求項４】
ストレッチフィルムの幅は３０ｃｍ以上である請求項１から３のいずれかに記載のロール巻きストレッチフィルム。
【請求項５】
巻き芯は紙管である請求項１から４のいずれかに記載のロール巻きストレッチフィルム。
【請求項６】
巻き芯はプラスチック製である請求項１から４のいずれかに記載のロール巻きストレッチフィルム。
【考案の詳細な説明】
【技術分野】
【０００１】
この考案は、物品の梱包や保護、防水に使用するストレッチフィルムに関し、より詳細には長尺のストレッチフィルムを筒状の巻き芯に巻き取ったロール巻きストレッチフィルムに関する。
【背景技術】
【０００２】
物品の搬送時の荷崩れおよび型崩れ防止のためや、物品の保護および防水のために、物品に巻いて梱包するためのストレッチフィルムが公知である（特許文献１）。
【０００３】
前記のストレッチフィルムとしては、プラスチック樹脂を製膜化した幅３０ｃｍ〜５０ｃｍ程度のフィルムを内径７５ｍｍ前後、厚さ５〜７ｍｍ程度の筒状の巻き芯に数１００ｍ程度巻いてロール巻きストレッチフィルムとしたものが一般的である。
【０００４】
図５〜９は前記のロール巻きストレッチフィルムを示すもので、筒状の巻き芯ＳにストレッチフィルムＴを巻き付けている。
【０００５】
前記のロール巻きストレッチフィルムの使用にあたっては、先端を固定したストレッチフィルムをテンションをかけながら物品に巻き付けていく。ストレッチフィルムは粘着性があるのでテンションをかけながら巻き付けていくことにより固定されることとなる。
【先行技術文献】
【特許文献】
【０００６】
【特許文献１】実開昭６３−１２３５６３号公報
【特許文献２】特開平０８- １１９２４２号公報
【特許文献３】特開２０１１−２０１６０６号公報
【考案の概要】
【考案が解決しようとする課題】
【０００７】
前記したようにロール巻きストレッチフィルムは先端を固定した状態で物品に巻き付けていくが、そのためにはロール巻きストレッチフィルムの巻き芯を回転させて、巻き芯からストレッチフィルムを繰り出していかなければならない。
【０００８】
前記の場合、巻き芯に特許文献１や２に記載のような手巻き操作具を装着して繰り出し作業を行う場合もあるが、ストレッチフィルムは幅は３０ｃｍ〜５０ｃｍと大きいので、図９に示すようにロール巻きストレッチフィルムの巻き芯Ｓの両端に使用者の手Ｆの指先を挿入し巻き芯の内周壁とＳ２と外周壁を掴みながら繰り出し作業を行うことが広く行われている。
【０００９】
ところで、紙管からなることが多いロール巻きストレッチフィルムの巻き芯Ｓの端面Ｓ１は当然のことながら図７、８に示すように巻き芯Ｓの内周壁Ｓ２に対し直交する方向に切断され、巻き芯の端面と内周壁がなす角Ｃが存することになる。
【００１０】
そして、前記の繰り出し作業においては巻き芯の内周壁Ｓ２と外周壁を掴んでいる使用者の指腹は当然のことながら前記角Ｃに接触することとなる。この場合、角Ｃは回転しながら指腹に接触し、しかもストレッチフィルムをテンションをかけながら巻き付けていく関係上、強圧力をもって角が指腹に接触することになる。
【００１１】
前記の結果、指腹が回転する巻き芯Ｓの角Ｃにより切れて怪我をしてしまうおそれがあった。
【課題を解決するための手段】
【００１２】
この考案は以上の従来技術の問題点を解消したロール巻きストレッチフィルムを提供することを目的として創作されたものであり、使用者の指先を挿入可能な内径寸法を有する筒状の巻き芯にストレッチフィルムを巻き取ったロール巻きストレッチフィルムにおいて、巻き芯の端面と内周壁がなす角を切り落としたことを特徴とする。
【００１３】
また、請求項２記載の考案は、前記のロール巻きストレッチフィルムにおいて、巻き芯の端面と内周壁間にテーパ面を設けることにより巻き芯の端面と内周壁がなす角を切り落とす手段としたことを特徴とする。
【００１４】
また、請求項３記載の考案は、前記のロール巻きストレッチフィルムにおいて、巻き芯の端面と内周壁間に湾曲面を設けることにより巻き芯の端面と内周壁がなす角を切り落とす手段としたことを特徴とする。
【００１５】
また、請求項４記載の考案は、前記のロール巻きストレッチフィルムにおいて、ストレッチフィルムの幅は３０ｃｍ以上であることを特徴とする。
【００１６】
また、請求項５記載の考案は、前記のロール巻きストレッチフィルムにおいて、巻き芯は紙管であることを特徴とする。
【００１７】
また、請求項６記載の考案は、前記のロール巻きストレッチフィルムにおいて、巻き芯はプラスチック製であることを特徴とする。
【考案の効果】
【００１８】
以上の構成よりなるこの考案のロール巻きストレッチフィルムによれば、巻き芯の端面と内周壁がなす角を切り落としているので、指腹に接触する箇所は切り落としにより生じた面となり、指腹が回転する巻き芯の角により切れてしまうおそれが防止される。
【００１９】
前記の場合、使用者は指が切れるおそれがないので、安心して巻き芯を掴むことができ、掴む箇所は角による線でなく面であることも相まって強圧力をもって巻き芯を掴むことになるので、テンションをかけながらストレッチフィルムを巻き付けていく作業がより確実なものとなる。
【００２０】
また、請求項２記載の考案のように、巻き芯の端面と内周壁間にテーパ面を設けることにより巻き芯の端面と内周壁がなす角を切り落とす手段とした場合は、例えば請求項５記載の考案のように巻き芯を紙管で構成した場合、簡単な切削作業でこの考案を実施できるのでコスト面で有利となる。
【図面の簡単な説明】
【００２１】
【図１】この考案のロール巻きストレッチフィルムの一端を示す斜視図。
【図２】この考案のロール巻きストレッチフィルムの中間省略断面図。
【図３】この考案のロール巻きストレッチフィルムの要部の拡大断面図。
【図４】同上、異なる実施例の要部の拡大断面図。
【図５】従来技術のロール巻きストレッチフィルムの側面図。
【図６】同上、断面図。
【図７】同上、中間省略断面図。
【図８】従来技術のロール巻きストレッチフィルムの一端を示す斜視図。
【図９】従来技術のロール巻きストレッチフィルムの使用状態を示す中間省略断面図。
【考案を実施するための形態】
【００２２】
以下、この考案のロール巻きストレッチフィルムの具体的実施例を添付図面に基づいて説明する。図１〜３はロール巻きストレッチフィルムを示す図である。
【００２３】
この考案は筒状の巻き芯１にストレッチフィルムＴを巻き取った公知のロール巻きストレッチフィルムの改良創作にかかわり、ここではプラスチック樹脂を製膜化した幅５０ｃｍのストレッチフィルムを、使用者の指先を挿入可能な内径寸法を有する内径７５ｍｍ、厚さ５ｍｍの筒状の巻き芯に数１００ｍ巻いたものを例示している。
【００２４】
巻き芯１はここでは紙管原紙をマンドレルに螺旋状に巻きつけて作られた公知の紙管を採用しているが、プラスチックを成形して作ったものでもよい。
【００２５】
図３はこの考案の要部を示す図である。この考案は巻き芯１の端面１Ａと内周壁１Ｂがなす角を切り落としたことを特徴とするが、ここでは巻き芯の端面と内周壁間にテーパ面２を設けることにより巻き芯の端面と内周壁がなす角を切り落とす手段としている。
【００２６】
図４は巻き芯の端面と内周壁がなす角を切り落とす手段の異なる実施例を示すものであり、ここでは巻き芯の端面と内周壁間に湾曲面１２を設けることにより巻き芯の端面と内周壁がなす角を切り落とす手段としている。
【００２７】
巻き芯の端面と内周壁がなす角を切り落とす方法としては巻き芯が紙管の場合は切削により、プラスチックを成形して作ったものである場合は予めその形状に成形する。
【符号の説明】
【００２８】
Ｔ                ストレッチフィルム
１                巻き芯
１Ａ              巻き芯の端面
１Ｂ              巻き芯の内周壁
２                テーパ面
１２              湾曲面
【図１】
0003208180.tif 000003
【図２】
0003208180.tif 000004
【図３】
0003208180.tif 000005
【図４】
0003208180.tif 000006
【図５】
0003208180.tif 000007
【図６】
0003208180.tif 000008
【図７】
0003208180.tif 000009
【図８】
0003208180.tif 000010
【図９】
0003208180.tif 000011